(57)【要約】【課題】  夜間などに半覚醒状態で室内を歩行する際に、室内空間に向かって照射される光からの刺激による眩しさや不快感を軽減することができる建具を提供する。【解決手段】  隣接する一対の室内空間４，６の間に設置される建具本体１２と、建具本体１２に設けられた開口部１４と、開口部１４に取り付けられた発光パネル体１６と、を備え、発光パネル体１６の両面にはそれぞれ発光面５２，５４が設けられ、発光パネル体１６の片方の発光面５２からの光は、一方の室内空間４に向かって照射され、またその他方の発光面５４からの光は、他方の室内空間６に向かって照射される。【選択図】  図１
2008097989.tif 000002
【特許請求の範囲】
【請求項１】
隣接する一対の室内空間の間に設置される建具本体と、前記建具本体に設けられた開口部と、前記開口部に取り付けられた発光パネル体と、を備え、
前記発光パネル体の両面にはそれぞれ発光面が設けられ、前記発光パネル体の片方の前記発光面からの光は、前記一対の室内空間の一方に向かって照射され、またその他方の前記発光面からの光は、前記一対の室内空間の他方に向かって照射されることを特徴とする建具。
【請求項２】
前記発光パネル体は、その片面側に配設される第１ＥＬシート体と、その他面側に配設される第２ＥＬシート体と、を備え、前記第１ＥＬシート体は前記発光パネル体の片方の前記発光面として機能し、前記第２ＥＬシート体は前記発光パネル体の他方の前記発光面として機能することを特徴とする請求項１に記載の建具。
【請求項３】
前記発光パネル体は、前記第１ＥＬシート体及び／又は前記第２ＥＬシート体を覆う装飾用透光パネル体を更に備えることを特徴とする請求項２に記載の建具。
【請求項４】
前記建具本体には、これを開閉するための取っ手が設けられており、前記発光パネル体は、前記建具本体の前記取っ手の近傍に配設されていることを特徴とする請求項１〜３のいずれかに記載の建具。
【請求項５】
室内の壁面に取り付けられる手摺り本体と、前記手摺り本体の外周面に長手方向に延びて設けられた収容凹部と、前記収容凹部に収容されたＥＬファイバと、を備え、前記ＥＬファイバからの光は外部に照射されることを特徴とする手摺り。
【請求項６】
前記ＥＬファイバの外周面の一部は、前記収容凹部の開口部より外部に突出されていることを特徴とする請求項５に記載の手摺り。
【請求項７】
隣接する一対の室内空間の間に設置される建具本体と、前記建具本体に設けられた開口部と、前記開口部に取り付けられた発光パネル体と、前記一対の室内空間の一方の壁面に取り付けられ、前記一対の室内空間の他方に向かって延びる手摺り本体と、前記手摺り本体の外周面に長手方向に延びて設けられた収容凹部と、前記収容凹部に収容されたＥＬファイバと、を備え、
前記発光パネル体の両面にはそれぞれ発光面が設けられ、前記発光パネル体の片方の前記発光面からの光は、前記一対の室内空間の一方に向かって照射され、その他方の前記発光面からの光は、前記一対の室内空間の他方に向かって照射され、また前記ＥＬファイバからの光は、前記一対の室内空間の一方に向かって照射されることを特徴とする照明システム。
【請求項８】
前記建具本体の片面及び他面にはそれぞれ、人間を感知するための第１センサ及び第２センサが設けられ、また前記手摺り本体又はその近傍には、人間を感知するための第３センサが設けられており、
前記第１センサ及び前記第２センサからの感知信号に基づいて前記発光パネル体が点灯制御され、また前記第３センサからの感知信号に基づいて前記ＥＬファイバが点灯制御されることを特徴とする請求項７に記載の照明システム。
【発明の詳細な説明】
【技術分野】
【０００１】
本発明は、光を室内空間に向かって照射する機能を備えた建具及び手摺り並びにこれらを用いた照明システムに関する。
【背景技術】
【０００２】
例えば住宅等の建物における室内の天井や壁面などには、室内空間を照明するための例えば電球や蛍光灯などの照明器具が設置されている（例えば、特許文献１参照）。例えば夜間において睡眠中に尿意を催してトイレに行く際には、トイレに通じる廊下などに設置された照明器具を点灯させると、トイレに通じる廊下やトイレのドアなどが照明器具により照明され、これによりトイレの設置場所を視認することができ、トイレに通じる廊下を歩いてトイレに向かうことができる。また、トイレ内に入る際には、トイレ内に設置された照明器具を点灯させると、トイレ内が照明器具により照明され、これによりトイレ内で用を足すことができる。
【０００３】
また従来より、光を室内空間に向かって照射する機能を備えた手摺りが知られており、この手摺りは、室内の壁面に取り付けられる複数のブラケットと、複数のブラケットに支持される手摺り本体と、手摺り本体の外周面に長手方向に延びて設けられた収容凹部と、この収容凹部に収容された線状発光体と、ブラケットに内蔵された光源と、を備えている（例えば、特許文献２参照）。線状発光体は、柔軟アクリルポリマーから形成されるコア材と、このコア材の外周部を覆うアクリル樹脂から形成された外皮クラッド材と、コア材と外皮クラッド材との間に介在される光反射層と、から構成されている。光源が点灯すると、光源からの光が線状発光体の内部に導かれて光散乱を生じながら進み、これにより線状発光体の外周面より光が外部に照射される。このように光が照射されると、手摺り本体及びその周囲が照明され、夜間においても手摺り本体の設置場所が視認できるようになり、例えば高齢者などが手摺り本体に掴まりながら室内を安全に歩行することができる。
【０００４】
【特許文献１】特開２００４−１１９２８７号公報
【特許文献２】特開２００３−２９３５４３号公報
【発明の開示】
【発明が解決しようとする課題】
【０００５】
しかしながら、上述した従来の照明器具では、例えば夜間において睡眠中に尿意を催して半覚醒状態でトイレに行く場合において、トイレに通じる廊下を歩いてトイレに行き用を足すまでの間に、トイレに通じる廊下やトイレに設置された照明器具からの光により刺激を受け、眩しさや不快感を感じて完全に覚醒してしまうという問題がある。
【０００６】
また、上述した従来の手摺りでは、線状発光体を発光させるための光源をブラケットに内蔵しなければならないため、手摺りの構成が複雑になり、それ故に、手摺りの設置コストが上昇してしまうという問題がある。
【０００７】
本発明の目的は、夜間などに半覚醒状態で室内を歩行する際に、室内空間に向かって照射される光からの刺激による眩しさや不快感を軽減することができる建具及び照明システムを提供することである。
【０００８】
また、本発明の他の目的は、比較的簡単な構成でもって光を外部に照射することができる手摺りを提供することである。
【課題を解決するための手段】
【０００９】
本発明の請求項１に記載の建具は、隣接する一対の室内空間の間に設置される建具本体と、前記建具本体に設けられた開口部と、前記開口部に取り付けられた発光パネル体と、を備え、
前記発光パネル体の両面にはそれぞれ発光面が設けられ、前記発光パネル体の片方の前記発光面からの光は、前記一対の室内空間の一方に向かって照射され、またその他方の前記発光面からの光は、前記一対の室内空間の他方に向かって照射されることを特徴とする。
【００１０】
また、本発明の請求項２に記載の建具では、前記発光パネル体は、その片面側に配設される第１ＥＬシート体と、その他面側に配設される第２ＥＬシート体と、を備え、前記第１ＥＬシート体は前記発光パネル体の片方の前記発光面として機能し、前記第２ＥＬシート体は前記発光パネル体の他方の前記発光面として機能することを特徴とする。
【００１１】
さらに、本発明の請求項３に記載の建具では、前記発光パネル体は、前記第１ＥＬシート体及び／又は前記第２ＥＬシート体を覆う装飾用透光パネル体を更に備えることを特徴とする。
【００１２】
また、本発明の請求項４に記載の建具では、前記建具本体には、これを開閉するための取っ手が設けられており、前記発光パネル体は、前記建具本体の前記取っ手の近傍に配設されていることを特徴とする。
【００１３】
さらに、本発明の請求項５に記載の手摺りでは、室内の壁面に取り付けられる手摺り本体と、前記手摺り本体の外周面に長手方向に延びて設けられた収容凹部と、前記収容凹部に収容されたＥＬファイバと、を備え、前記ＥＬファイバからの光は外部に照射されることを特徴とする。
【００１４】
また、本発明の請求項６に記載の手摺りでは、前記ＥＬファイバの外周面の一部は、前記収容凹部の開口部より外部に突出されていることを特徴とする。
さらに、本発明の請求項７に記載の照明システムでは、隣接する一対の室内空間の間に設置される建具本体と、前記建具本体に設けられた開口部と、前記開口部に取り付けられた発光パネル体と、前記一対の室内空間の一方の壁面に取り付けられ、前記一対の室内空間の他方に向かって延びる手摺り本体と、前記手摺り本体の外周面に長手方向に延びて設けられた収容凹部と、前記収容凹部に収容されたＥＬファイバと、を備え、
前記発光パネル体の両面にはそれぞれ発光面が設けられ、前記発光パネル体の片方の前記発光面からの光は、前記一対の室内空間の一方に向かって照射され、その他方の前記発光面からの光は、前記一対の室内空間の他方に向かって照射され、また前記ＥＬファイバからの光は、前記一対の室内空間の一方に向かって照射されることを特徴とする。
【００１５】
また、本発明の請求項８に記載の照明システムでは、前記建具本体の片面及び他面にはそれぞれ、人間を感知するための第１センサ及び第２センサが設けられ、また前記手摺り本体又はその近傍には、人間を感知するための第３センサが設けられており、
前記第１センサ及び前記第２センサからの感知信号に基づいて前記発光パネル体が点灯制御され、また前記第３センサからの感知信号に基づいて前記ＥＬファイバが点灯制御されることを特徴とする。
【発明の効果】
【００１６】
本発明の請求項１に記載の建具によれば、建具本体の開口部には発光パネル体が取り付けられ、この発光パネル体の両面にはそれぞれ発光面が設けられているので、発光パネル体の片方の発光面からの光によって建具本体の片面（一方の室内空間に面している側の面）の前方が照明され、またその他方の発光面からの光によって建具本体の他面（他方の室内空間に面している側の面）の前方が照明される。このように建具本体の周囲の所定の範囲が照明されることにより、例えば夜間に使用者が半覚醒状態で一方の室内空間から他方の室内空間に移動する際に、使用者が受ける光の刺激が少なくなり、光からの刺激による眩しさや不快感を軽減することが可能となる。また、建具本体の両面が発光するので、建具の設置場所を容易に知ることができる。
【００１７】
また、本発明の請求項２に記載の建具によれば、発光パネル体はシート状のＥＬ素子である第１及び第２ＥＬシート体を備え、第１ＥＬシート体は発光パネル体の片方の発光面として機能し、第２ＥＬシート体は発光パネル体の他方の発光面として機能するので、発光パネル体の各発光面から一対の室内空間の各々に向かって照射される光の強さが抑えられ、これにより半覚醒状態の使用者が受ける光の刺激をより少なくすることができ、光からの刺激による眩しさや不快感をより軽減することが可能となる。また、このような第１及び第２ＥＬシート体は厚さが比較的薄い（例えば、約０．２〜０．６ｍｍ程度）ため、これらを相互に重ね合わせて発光パネル体を構成した場合であっても、発光パネル体の厚さを抑えることができ、建具本体の外観を損なうことがない。また、このような第１及び第２ＥＬシート体は自在に切断することができるので、建具本体の開口部の大きさに応じて発光パネル体の大きさを適宜設定することができ、建具の製造コストを低減することが可能となる。また、このような第１及び第２ＥＬシート体はほとんど発熱することがないので、使用者が発光パネル体などに手を触れた際に火傷をするおそれがなく、高い安全性を確保することが可能となる。
【００１８】
さらに、本発明の請求項３に記載の建具によれば、発光パネル体は、第１ＥＬシート体及び／又は第２ＥＬシート体を覆う装飾用透光パネル体を更に備えているので、例えばこの装飾用透光パネル体をステンドグラス調に構成することにより、第１ＥＬシート体及び／又は第２ＥＬシート体からの光が装飾用透光パネル体を通して外部に照射されると、装飾用透光パネル体が美しく光り、室内のインテリア性を高めることが可能となる。
【００１９】
また、本発明の請求項４に記載の建具によれば、発光パネル体は、建具本体の取っ手の近傍に配設されているので、発光パネル体の発光面からの光により建具本体の取っ手が照明されるようになり、これにより例えば夜間などにおいて取っ手の配設位置を視認することができ、建具本体を容易に開閉することが可能となる。
【００２０】
さらに、本発明の請求項５に記載の手摺りによれば、手摺り本体の収容凹部にはＥＬファイバが収容されているので、このＥＬファイバの電極端子に所定の交流電力を供給することによりＥＬファイバが発光され、ＥＬファイバからの光が外部に照射される。したがって、従来のように線状発光体を発光させるための光源が不要となり、これにより手摺りの構成が比較的簡単なものとなり、手摺りの設置コストを低減することが可能となる。
【００２１】
また、本発明の請求項６に記載の手摺りによれば、ＥＬファイバの外周面の一部は、収容凹部の開口部より外部に突出されているので、手摺り本体を手で掴むなどした際に、収容凹部の開口部のエッジが手などに触れることがなく、高い安全性を確保することが可能となる。
【００２２】
さらに、本発明の請求項７に記載の照明システムによれば、建具本体の開口部には発光パネル体が取り付けられ、この発光パネル体の両面にはそれぞれ発光面が設けられているので、発光パネル体の片方の発光面からの光によって建具本体の片面の前方が照明され、またその他方の発光面からの光によって建具本体の他面の前方が照明される。また、一方の室内空間の壁面に取り付けられ、他方の室内空間に向かって延びる手摺り本体の収容凹部にはＥＬファイバが収容されているので、このＥＬファイバからの光により手摺り本体及びその周囲が照明される。このように照明されることにより、例えば夜間に使用者が半覚醒状態で一方の室内空間から他方の室内空間に移動する際に、使用者が受ける光の刺激が少なくなり、光からの刺激による眩しさや不快感を軽減することが可能となる。また、一方の室内空間から建具本体までを照明するので、使用者の移動方向前方が照明され、安全に移動することができる。
【００２３】
また、本発明の請求項８に記載の照明システムによれば、建具本体の片面及び他面にそれぞれ設けられた第１及び第２センサからの感知信号に基づき発光パネル体を点灯制御し、また手摺り本体又はその近傍に設けられた第３センサからの感知信号に基づきＥＬファイバを点灯制御するので、使用者による発光パネル体及びＥＬファイバの点灯操作が不要となって利便性を高めることができ、また省電力化を図ることが可能となる。
【発明を実施するための最良の形態】
【００２４】
以下、添付図面を参照して、本発明に従う建具並びに手摺り及びこれらを用いた照明システムの一実施形態について説明する。図１は、本発明の一実施形態による照明システムの建具及び手摺りを設置した室内を簡略的に示す図であり、図２は、図１中のＡ−Ａ線による建具の概略要部断面図であり、図３は、図１の発光パネル体を建具本体の開口部に取り付ける前の状態を示す概略斜視図であり、図４は、図１の手摺り本体の一端部及びその周辺の構成を示す部分透過斜視図であり、図５は、図４中のＢ−Ｂ線による手摺りの概略断面図であり、図６は、図１の照明システムによる発光パネル体及びＥＬファイバの点灯制御の流れを示すフローチャートである。
【００２５】
図１を参照して、図示の照明システム２は、隣接する一対の室内空間４，６の間に設置される建具８と、他方の室内空間６の壁面７０に取り付けられる手摺り１０と、を備えている。本実施形態では、一般家屋にこの照明システム２を適用した場合について説明し、一方の室内空間４は例えばトイレであり、また他方の室内空間６はトイレに通じる例えば廊下である。以下、照明システム２の各構成要素について詳細に説明する。
【００２６】
図１〜図３を参照して、建具８は、建具本体１２と、建具本体１２に設けられた開口部１４と、開口部１４に取り付けられた発光パネル体１６と、を備えている。建具本体１２は、本実施形態では開閉式ドアから構成され、トイレ４とトイレ４に通じる廊下６との間の仕切壁１８に設けられた矩形状の通路用開口２０に、一対の蝶番２２を介して開閉自在に取り付けられている。建具本体１２の所定部位には取っ手２４が回転自在に設けられており、この取っ手２４を所定方向に回転させて建具本体１２を押す（又は引く）ことにより、建具本体１２を開閉することができる。
【００２７】
また、建具本体１２の片面（トイレ４に面する側の面）における取っ手２４の下方には第１センサ２６が設けられ、またその他面（トイレ４に通じる廊下６に面する側の面）における取っ手２４の下方には第２センサ２８が設けられている。第１センサ２６は、建具本体１２の片面の前方の所定範囲に存在する人間を感知し、また第２センサ２８は、建具本体１２の他面の前方の所定範囲に存在する人間を感知する。また、建具本体１２の内部には配線用挿通孔３０が所要の通りに設けられ、この配線用挿通孔３０には第１電力ケーブル３２が挿通されている。
【００２８】
開口部１４は矩形状に構成され、取っ手２４の近傍に配設されている。建具本体１２の片面側における開口部１４の外周部には矩形状の第１支持枠体３４が取り付けられ、また建具本体１２の他面側における開口部１４の外周部には矩形状の第２支持枠体３６が取り付けられている。また、建具本体１２の開口部１４の一側面には挿通用開口３８が設けられており、この挿通用開口３８は建具本体１２の内部に設けられた配線用挿通孔３０に連通されている。建具本体１２の配線用挿通孔３０に挿通された第１電力ケーブル３２の一端部は挿通用開口３８を通して開口部１４内に延び、またその他端部は仕切壁１８の内部に延びて所定の交流電力を供給するための第１インバータ装置４０に電気的に接続されている。なお、第１電力ケーブル３２の一端部には第１コネクタ部４２が設けられている。
【００２９】
発光パネル体１６は、その片面側に配設される第１ＥＬシート体４４と、その他面側に配設される第２ＥＬシート体４６と、第１ＥＬシート体４４と第２ＥＬシート体４６との間に介在される絶縁シート体４８と、第１ＥＬシート体４４及び第２ＥＬシート体４６の各々の表面を覆う一対の装飾用透光パネル体５０と、を備えている。発光パネル体１６の両面にはそれぞれ発光面５２，５４が設けられ、第１ＥＬシート体４４は、発光パネル体１６の片方の発光面５２として機能し、また第２ＥＬシート体４６は、発光パネル体１６の他方の発光面５４として機能する。
【００３０】
第１ＥＬシート体４４及び第２ＥＬシート体４６はそれぞれ、シート状のＥＬ（Ｅｌｅｃｔｒｏ  Ｌｕｍｉｎｅｓｃｅｎｃｅ）素子から構成され、表面保護層、透明電極層、発光層、絶縁層、裏面電極層及び裏面保護層（図示せず）がこの順に積層されることにより構成される。表面保護層は第１（第２）ＥＬシート体４４（４６）の表面側に配設され、また裏面保護層は第１（第２）ＥＬシート体４４（４６）の裏面側に配設されている。
【００３１】
第１（第２）ＥＬシート体４４（４６）の裏面側には、透明電極層及び裏面電極層とそれぞれ電気的に接続された一対の電極部（図示せず）が設けられており、これら一対の電極部にはそれぞれ例えば銅箔テープなどの導電テープ（図示せず）が貼着され、この導電テープには第２電力ケーブル５６の一端部が例えばハンダ付けにより電気的に接続されている。第２電力ケーブル５６の他端部には第２コネクタ部５８が設けられており、この第２コネクタ部５８は、第１電力ケーブル３２の第１コネクタ部４２と相互に接続され、このように接続されると、第１電力ケーブル３２の一端部と第２電力ケーブル５６の他端部とが電気的に接続される。
【００３２】
第１インバータ装置４０からの所定の交流電力が第１電力ケーブル３２及び第２電力ケーブル５６を介して第１及び第２ＥＬシート体４４，４６の各々の一対の電極部に供給されると、透明電極層と裏面電極層との間に所定の交流電圧が印加され、これにより第１及び第２ＥＬシート体４４，４６の各々の表面より光が照射される。
【００３３】
第１及び第２ＥＬシート体４４，４６の大きさはそれぞれ、建具本体１２の開口部１４の大きさと略同一又はこれよりも僅かに小さく構成されている。これら第１及び第２ＥＬシート体４４，４６は、それぞれの裏面が対向されるようにして絶縁シート体４８を介して相互に重ね合わされ、第１ＥＬシート体４４の裏面と絶縁シート体４８の片面とは接着剤を介して相互に接着され、また第２ＥＬシート体４６の裏面と絶縁シート体４８の他面とは接着剤を介して相互に接着される。
【００３４】
装飾用透光パネル体５０は、例えばアクリルやプラスチック、ガラスなどの透光性を有する材料から形成され、その大きさは、第１及び第２ＥＬシート体４４，４６の大きさと略同一に構成されている。この装飾用透光パネル体５０は、上述のように相互に重ね合わされた第１及び第２ＥＬシート体４４，４６の各々の表面を覆うようにして取り付けられ、このようにして発光パネル体１６が構成される。なお、本実施形態では、装飾用透光パネル体５０にはステンドグラス調の模様が施されている。
【００３５】
上述のようにして構成された発光パネル体１６は、次のようにして建具本体１２の開口部１４に取り付けられる。建具本体１２の開口部１４より第１支持枠体３４を取り外し、建具本体１２の片面側より発光パネル体１６を開口部１４に収容し、発光パネル体１６より外部に引き出された第２電力ケーブル５６の第２コネクタ部５８と第１電力ケーブル３２の第１コネクタ部４２とを相互に接続する。その後に、建具本体１２の片面側における開口部１４の外周部に第１支持枠体３４を取り付けると、発光パネル体１６の外周部が第１支持枠体３４と第２支持枠体３６との間に挟持され、このようにして発光パネル体１６が建具本体１２の開口部１４に取り付けられる。
【００３６】
また、この発光パネル体１６に関連して第１点灯制御手段（図示せず）が設けられており、この第１点灯制御手段は、第１インバータ装置４０を作動制御するための第１作動制御手段（図示せず）と、第１設定時間（例えば、約２０秒）をカウントするための第１タイマ（図示せず）と、を備え、後述するようにして第１センサ２６及び第２センサ２８からの感知信号に基づいて発光パネル体１６を点灯制御する。
【００３７】
図１、図４及び図５を参照して、手摺り１０は、手摺り本体６０と、手摺り本体６０を支持するための一対のブラケット６２ａ，６２ｂと、手摺り本体６０の外周面に長手方向に延びて設けられた収容凹部６４と、この収容凹部６４に収容されたＥＬファイバ６６と、を備えている。
【００３８】
手摺り本体６０は長手状のロッド状に構成され、その長手方向に垂直な断面は略円形状に構成されている。また、手摺り本体６０の一端面には、径方向に延びる引出し用凹部６８が設けられている。一対のブラケット６２ａ，６２ｂはそれぞれトイレ４に通じる廊下６の壁面７０に取り付けられ、これら一対のブラケット６２ａ，６２ｂにより手摺り本体６０の両端部が支持され、このように支持された手摺り本体６０は、トイレ４の設置方向に向かって延びている。また、手摺り本体６０の一端部（図１において右側の端部）を支持するブラケット６２ａの近傍における壁面７０には第３センサ７２が設けられ、その他端部（図１において左側の端部）を支持するブラケット６２ｂの近傍における壁面７０には第４センサ７４が設けられている。第３センサ７２は、手摺り本体６０の一端部の前方の所定範囲に存在する人間を感知し、また第４センサ７４は、手摺り本体６０の他端部の前方の所定範囲に存在する人間を感知する。
【００３９】
収容凹部６４は、その長手方向に垂直な断面が略コの字状に構成され、その深さＤ１は約２．０ｍｍ程度に構成されている。この収容凹部６４は、手摺り本体６０の一端部から他端部まで延びており、収容凹部６４の一端部は引出し用凹部６８の一端部と相互に接続されている。
【００４０】
ＥＬファイバ６６は、線状のＥＬ素子から構成され、芯電極（図示せず）と、芯電極の外周部に設けられた透明電極層（図示せず）と、芯電極と透明電極層との間に介在された発光層（図示せず）と、これら芯電極、発光層及び透明電極層の周囲を覆う被膜（図示せず）と、から構成されている。ＥＬファイバ６６の一端部には、一対の電極端子（図示せず）が外部に延びて設けられており、これら一対の電極端子はそれぞれ芯電極及び透明電極層と電気的に接続されている。なお、ＥＬファイバ６６の直径Ｄ２は約２．５ｍｍ程度に構成されている。
【００４１】
ＥＬファイバ６６は手摺り本体６０の収容凹部６４に収容され、接着剤によりこの収容凹部６４に接着固定される。ＥＬファイバ６６の外周面は、手摺り本体６０の収容凹部６４の開口部より外部に幾分突出されており、その突出量Ｄ３は約０．５ｍｍ程度である。これにより手摺り本体６０を手で掴むなどした際に、収容凹部６４の開口部のエッジが手などに触れることがなく、手の指などがこのエッジに引っ掛かるなどして怪我をするのが防止される。また、手摺り本体６０の長手方向に直交する断面において、収容凹部６４の断面の大きさを手摺り本体６０の断面の大きさに対して小さく構成することにより、手摺り本体６０の強度を損なうことがない。
【００４２】
ＥＬファイバ６６の一端部は、収容凹部６４の一端部において折り曲げられて引出し用凹部６８に収容され、更に折り曲げられた後にブラケット６２ａの内部を通って壁面７０の内部に延びている。壁面７０の内部には第３電力ケーブル７６が所要の通りに配線されており、この第３電力ケーブル７６の一端部はＥＬファイバ６６の一対の電極端子に電気的に接続され、またその他端部は所定の交流電力を供給するための第２インバータ装置７８に電気的に接続されている。第２インバータ装置７８からの所定の交流電力が第３電力ケーブル７６を介してＥＬファイバ６６の一対の電極端子にそれぞれ供給されると、芯電極と透明電極層との間に所定の交流電圧が印加され、これによりＥＬファイバ６６の外周面より光が照射される。
【００４３】
また、このＥＬファイバ６６に関連して第２点灯制御手段（図示せず）が設けられており、この第２点灯制御手段は、第２インバータ装置７８を作動制御するための第２作動制御手段（図示せず）と、第２設定時間（例えば、約５分）をカウントするための第２タイマ（図示せず）と、を備え、後述するようにして第３センサ７２及び第４センサ７４からの感知信号に基づいてＥＬファイバ６６を点灯制御する。
【００４４】
次に、図６をも参照して、上述した照明システム２による発光パネル体１６及びＥＬファイバ６６の点灯制御の方法について説明する。例えば夜間において睡眠中に使用者（図示せず）が尿意を催して半覚醒状態でトイレ４に行く場合において、使用者がトイレ４に通じる廊下６を歩いて手摺り本体６０の一端部に近付くと、第３センサ７２が使用者を感知する（ステップＳ１）。このように第３センサ７２が使用者を感知すると、第３センサ７２からの感知信号に基づき、第２作動制御手段は第２インバータ装置７８を作動させ（ステップＳ２）、また第２タイマによる第２設定時間のカウントが開始される（ステップＳ３）。これにより第２インバータ装置７８からの所定の交流電力が第３電力ケーブル７６を介してＥＬファイバ６６の一対の電極端子に供給され、ＥＬファイバ６６が点灯される（ステップＳ４）。ＥＬファイバ６６が点灯されると、ＥＬファイバ６６より光が外部に照射され、この光により手摺り本体６０及びその周囲が照明され、これにより手摺り本体６０の設置場所を視認することができ、使用者が手摺り本体６０に掴まりながらトイレ４に通じる廊下６を歩行することができる。
【００４５】
使用者がトイレ４に通じる廊下６を歩いてトイレ４の設置方向に向かい、建具本体１２の他面の前方に近付くと、第２センサ２８が使用者を感知する。第２センサ２８が使用者を感知すると、ステップＳ５からステップＳ６に進み、第２センサ２８からの感知信号に基づき、第１作動制御手段は第１インバータ装置４０を作動させ、これにより第１インバータ装置４０からの所定の交流電力が第１電力ケーブル３２及び第２電力ケーブル５６を介して第１及び第２ＥＬシート体４４，４６の各々の一対の電極部に供給され、これにより第１及び第２ＥＬシート体４４，４６がそれぞれ点灯される（ステップＳ７）。第２ＥＬシート体４６からの光は、建具本体１２の他面の前方に向かって照射され、これにより建具本体１２の設置場所を視認することができ、使用者はトイレ４に辿り着くことができる。また、第２ＥＬシート体４６からの光により建具本体１２の取っ手２４が照明されるので、取っ手２４を視認することができ、使用者は容易に建具本体１２を開閉することができる。
【００４６】
使用者が取っ手２４を所定方向に回転して建具本体１２を開放し、トイレ４内に入って建具本体１２を閉めると、第１センサ２６が建具本体１２の片面の前方に位置する使用者を感知する（ステップＳ８）。この状態において、第１ＥＬシート体４４からの光は、建具本体１２の片面の前方に向かって照射され、これによりトイレ４内が照明され、使用者はトイレ４内で用を足すことができる。
【００４７】
用を足した後に、使用者が建具本体１２を再び開放してトイレ４から外に出ると、第１センサ２６が使用者を感知しなくなる。このように第１センサ２６が使用者を感知しなくなると、ステップＳ９からステップＳ１０に進み、第１センサ２６からの感知信号に基づき第１タイマによる第１設定時間のカウントが開始される。第１設定時間が経過すると、ステップＳ１１からステップＳ１２に進み、第１作動制御手段は第１インバータ装置４０の作動を停止させ、第１及び第２ＥＬシート体４４，４６体がそれぞれ消灯される（ステップＳ１３）。
【００４８】
使用者がトイレ４から出た際に、第２設定時間がまだ経過していない場合には、ＥＬファイバ６６は点灯された状態に保持される。使用者が手摺り本体６０に掴まりながらトイレ４に通じる廊下６を歩いて寝室などに戻った後に、第２設定時間が経過すると、ステップＳ１４からステップＳ１５に進み、第２作動制御手段は第２インバータ装置７８の作動を停止させ、ＥＬファイバ６６が消灯される（ステップＳ１６）。
【００４９】
一方、使用者がトイレ４から出た際に、第２設定時間が既に経過している場合には、ステップＳ１４からステップＳ１５に進み、第２作動制御手段は第２インバータ装置７８の作動を停止させ、ＥＬファイバ６６が消灯される（ステップＳ１６）。かかる場合において、使用者がトイレ４に通じる廊下６を歩いて手摺り本体６０の他端部に近付くと、ステップＳ１７からステップＳ１８に進み、第４センサ７４が使用者を感知し、第４センサ７４からの感知信号に基づき、第２作動制御手段は第２インバータ装置７８を作動させ、また第２タイマによる第２設定時間のカウントが開始される（ステップＳ１９）。これによりＥＬファイバ６６が再び点灯され（ステップＳ２０）、使用者は手摺り本体６０の設置場所を視認することができる。その後に、更に第２設定時間が経過すると、ステップＳ２１からステップＳ２２に進み、上述したのと同様に、第２作動制御手段は第２インバータ装置７８の作動を停止させ（ステップＳ２２）、ＥＬファイバ６６が消灯される（ステップＳ２３）。
【００５０】
したがって、上述した照明システム２では、発光パネル体１６の片方の発光面５２からの光によって建具本体１２の片面の前方が照明され、またその他方の発光面５４からの光によって建具本体１２の他面の前方が照明される。このように建具本体１２の周囲の所定範囲が照明されることにより、半覚醒状態の使用者が受ける光の刺激が少なくなり、光からの刺激による眩しさや不快感を軽減することが可能となる。
【００５１】
次に、図７を参照して、建具の他の実施形態について説明する。図７は、本発明の他の実施形態による建具の概略要部断面図である。図７において、図１〜図６に示す実施形態の構成要素と同一の構成要素には同一の符号を付して、その説明を省略する。
【００５２】
この実施形態による建具８Ａでは、発光パネル体１６Ａは、１枚のＥＬシート本体８０をその裏面が内側になるようにして２つに折り曲げることにより構成される。このように２つに折り曲げたＥＬシート本体８０の一側部８２が第１ＥＬシート体として機能し、またその他側部８４が第２ＥＬシート体として機能する。また、上述した実施形態と同様に、ＥＬシート本体８０の一側部８２と他側部８４との間には絶縁シート体４８が介在され、またＥＬシート本体８０の両側にはそれぞれ装飾用透光パネル体５０が取り付けられている。
【００５３】
以上、本発明に従う建具並びに手摺り及びこれらを用いた照明システムの種々の実施形態について説明したが、本発明はかかる実施形態に限定されるものではなく、本発明の範囲を逸脱することなく種々の変形乃至修正が可能である。
【００５４】
例えば、上記各実施形態では、一方の室内空間４がトイレであり、また他方の室内空間６がトイレに通じる廊下であるが、これに限られず、例えば一方の室内空間４がユニットバスであり、また他方の室内空間６が脱衣室であってもよく、隣接する適宜の室内空間に適用することができる。
【００５５】
また例えば、上記各実施形態では、建具本体１２を開閉式ドアから構成したが、これに限られず、例えばスライド式ドア（引き戸）から構成するようにしてもよい。
また例えば、上記各実施形態では、第１及び第２センサ２６，２８からの感知信号に基づき発光パネル体１６を点灯制御し、第３及び第４センサ７２，７４からの感知信号に基づきＥＬファイバ６６を点灯制御するように構成したが、これら第１〜第４センサ２６，２８，７２，７４を省略し、例えばトイレ４に通じる廊下６の壁面７０などに押圧スイッチ（図示せず）を設けておき、この押圧スイッチを手動でオンすることにより発光パネル体１６及びＥＬファイバ６６がそれぞれ点灯され、またこの押圧スイッチを手動でオフすることにより発光パネル体１６及びＥＬファイバ６６がそれぞれ消灯されるように構成してもよい。
【００５６】
また例えば、上記各実施形態では、第１及び第２ＥＬシート体４４，４６の各々の表面に装飾用透光パネル体５０を取り付けるように構成したが、これら第１及び第２ＥＬシート体４４，４６のいずれか一方の表面にのみ装飾用透光パネル体５０を取り付けるように構成してもよい。
【００５７】
また例えば、上記各実施形態では、第３センサ７２を手摺り本体６０の一端部を支持するブラケット６２ａの近傍における壁面７０に設け、第４センサ７４を手摺り本体６０の他端部を支持するブラケット６２ｂの近傍における壁面７０に設けるように構成したが、例えば第３センサ７２をブラケット６２ａに設け、第４センサ７４をブラケット６２ｂに設けるように構成してもよい。
【００５８】
また例えば、手摺り本体６０の長さが短い場合には、第３及び第４センサ７２，７４を一つのセンサで兼用するようにしてもよい。
【図面の簡単な説明】
【００５９】
【図１】本発明の一実施形態による照明システムの建具及び手摺りを設置した室内を簡略的に示す図である。
【図２】図１中のＡ−Ａ線による建具の概略要部断面図である。
【図３】図１の発光パネル体を建具本体の開口部に取り付ける前の状態を示す概略斜視図である。
【図４】図１の手摺り本体の一端部及びその周辺の構成を示す部分透過斜視図である。
【図５】図４中のＢ−Ｂ線による手摺りの概略断面図である。
【図６】図１の照明システムによる発光パネル体及びＥＬファイバの点灯制御の流れを示すフローチャートである。
【図７】本発明の他の実施形態による建具の概略要部断面図である。
【符号の説明】
【００６０】
２，２Ａ  リング状照射装置
４  トイレ
６  トイレに通じる廊下
８，８Ａ  建具
１０  手摺り
１２  建具本体
１４  開口部
１６，１６Ａ  発光パネル体
２４  取っ手
２６  第１センサ
２８  第２センサ
４４  第１ＥＬシート体
４６  第２ＥＬシート体
５０  装飾用透光パネル体
５２，５４  発光面
６０  手摺り本体
６４  収容凹部
６６  ＥＬファイバ
７２  第３センサ
７４  第４センサ
【図１】
2008097989.tif 000003
【図２】
2008097989.tif 000004
【図３】
2008097989.tif 000005
【図４】
2008097989.tif 000006
【図５】
2008097989.tif 000007
【図６】
2008097989.tif 000008
【図７】
2008097989.tif 000009